(57)【要約】【課題】光源部での冷却効率を維持しながらも、排気風の風量を従来よりも抑制した光照射装置を実現する。【解決手段】光照射装置は、筐体と、筐体内に冷却のための第一風を流入させる給気口と、光源部と、ヒートシンクと、ヒートシンクを通流後の第一風である第二風を筐体外へ排出させる排気流路とを備える。排気流路は、第一面側に第二風を排出させる第一開口部と、第一開口部とは異なる位置に設けられ、第一面に対して非平行な第二面側に第二風を排出させる第二開口部と、第一開口部と第二開口部の形成領域以外を覆う遮蔽部材と、一端が第二開口部の端部に連結され、第一開口部の開口面から見たときに第二風の流路を狭める向きに傾斜して配置された導風部材とを備える。【選択図】        図１
2020004661.tif 000002
【特許請求の範囲】
【請求項１】
筐体と、
前記筐体内に、冷却のための第一風を流入させる給気口と、
前記筐体の一の側面である第一面側に係る前記筐体内の領域に複数のＬＥＤ素子が配列されてなり、前記第一面側から前記筐体の外側に向かって光を出射可能に構成された光源部と、
前記光源部に対して、前記第一面とは反対側の位置に配置され、前記筐体内に取り込まれた前記第一風を通流させるヒートシンクと、
前記ヒートシンクを通流後の前記第一風である第二風を前記筐体外へ排出させる排気流路とを備え、
前記排気流路は、
前記第一面側に前記第二風を排出させる第一開口部と、
前記第一開口部とは異なる位置に設けられ、前記第一面に対して非平行な第二面側に前記第二風を排出させる第二開口部と、
前記第一開口部と前記第二開口部の形成領域以外を覆う遮蔽部材と、
前記第一開口部の開口面から見たときに前記第二風の流路を狭める向きに傾斜して配置された導風部材とを備えたことを特徴とする、光照射装置。
【請求項２】
前記導風部材は、前記遮蔽部材の一部が、前記第二開口部から前記排気流路の内側に向けて折り曲げられたことで形成されていることを特徴とする、請求項１に記載の光照射装置。
【請求項３】
前記第二開口部は、前記遮蔽部材の対向する２面に設けられていることを特徴とする、請求項１又は２に記載の光照射装置。
【請求項４】
前記遮蔽部材は、前記第二風の通流方向に関して、前記第一開口部よりも上流側に屈曲部を有することを特徴とする、請求項１〜３のいずれか１項に記載の光照射装置。
【発明の詳細な説明】
【技術分野】
【０００１】
本発明は、光照射装置に関する。
【背景技術】
【０００２】
紫外線の照射によって硬化する光硬化性インクを用いて印刷を行う印刷装置（以下、適宜「ＵＶ印刷装置」と記載する。）が知られている。従来、ＵＶ印刷装置用の光源としては、放電ランプが用いられていた。しかし近年、消費エネルギーが低く、寿命が長い等の利点があることから、放電ランプに代えてＬＥＤ素子が利用され始めている。ただし、ＬＥＤ素子は単独では出力が低いため、短時間でインク硬化が可能な紫外線量を実現するためには、光源に複数のＬＥＤ素子を配列させる必要がある。
【０００３】
このように、光源として複数のＬＥＤ素子を配列させた場合、光源側での発熱の問題が生じる。ＬＥＤ素子は、動作温度が高くなると発光効率と寿命が低下するため、効率性及び寿命特性の向上の観点から高い排熱性を確保する必要がある。例えば、下記特許文献１には、ＵＶ印刷装置用の光源に備えられた冷却機構に関する技術が開示されている。
【先行技術文献】
【特許文献】
【０００４】
【特許文献１】特許第５９４０１１６号公報
【発明の概要】
【発明が解決しようとする課題】
【０００５】
現在、高品質で高速な印刷技術が市場から要求されている。かかる要求に応えるためには、光源からの光出力を更に向上させる必要がある。しかし、光出力を向上させるほど、光源における発熱量も増加する。上述したように、光源をＬＥＤ素子で構成した場合には、発光効率や寿命の観点から、温度上昇はなるべく避ける必要があるため、更に高い排熱性を実現する必要がある。
【０００６】
特許文献１に開示された構成によれば、ヒートシンクを通じて熱交換された後の排気風は、光照射装置の外部へ排出される。上記のように、光出力を更に向上させる観点からは、冷却効率を高めるべく、ヒートシンクに供給される冷却風の風量を増大させることが好ましい。
【０００７】
しかし、従来の冷却機構においては、排出される排気風について考慮されておらず、種々の問題を起こす可能性がある。例えば、高い風量の排気風が作業者に吹き付けられて作業を邪魔してしまう可能性や、隣接する他の精密機械に不具合を引き起こす可能性が考えられる。更には、前記排気風によって、作業環境下の埃や粉塵を巻き上がらせてしまい、光照射対象物（例えば、光硬化性インクが塗布された印刷媒体）の処理中に埃や粉塵を混在させ、処理前工程時又は処理後工程時に不具合を引き起こす可能性も考えられる。
【０００８】
本発明は、上記の課題に鑑み、光源部での冷却効率を維持しながらも、排気風の風量を従来よりも抑制した光照射装置を実現することを目的とする。
【課題を解決するための手段】
【０００９】
本発明に係る光照射装置は、
筐体と、
前記筐体内に、冷却のための第一風を流入させる給気口と、
前記筐体の一の側面である第一面側に係る前記筐体内の領域に複数のＬＥＤ素子が配列されてなり、前記第一面側から前記筐体の外側に向かって光を出射可能に構成された光源部と、
前記光源部に対して、前記第一面とは反対側の位置に配置され、前記筐体内に取り込まれた前記第一風を通流させるヒートシンクと、
前記ヒートシンクを通流後の前記第一風である第二風を前記筐体外へ排出させる排気流路とを備え、
前記排気流路は、
前記第一面側に前記第二風を排出させる第一開口部と、
前記第一開口部とは異なる位置に設けられ、前記第一面に対して非平行な第二面側に前記第二風を排出させる第二開口部と、
前記第一開口部と前記第二開口部の形成領域以外を覆う遮蔽部材と、
前記第一開口部の開口面から見たときに前記第二風の流路を狭める向きに傾斜して配置された導風部材とを備えたことを特徴とする。
【００１０】
前記導風部材は、一端が第二開口部の端部に連結されて形成されていても構わない。
【００１１】
上記構成によれば、第二開口部から第二風を排気できるため、第一開口部からの排気量（風速）をある程度抑制できる。なお、「発明を実施するための形態」の項で後述されるように、単に第二開口部を設けただけでは、第一開口部からの排気量（風速）を抑制する効果は十分に得られない。本発明者（ら）の鋭意研究により、第一開口部の開口面から見たときに第二風の流路を狭める向きに傾斜して配置された導風部材を備えたことで、第二開口部からの排気量が高められ、これによって第一開口部からの排気量を抑制する効果が得られることが分かった。
【００１２】
よって、光源部を高い光出力を示す複数のＬＥＤ素子で実現し、冷却能力を高めるべく筐体内に流入させる第一風の風量を増加させた場合、仮に、第一開口部からの排気方向を下向きとしても粉塵が大きく巻き上げられることが抑制される。なお、前記光照射装置は、高い風量を有した前記第一風を前記給気口から前記筐体内に取り込むべく、前記筐体内にファンを備えるものとしても構わない。
【００１３】
なお、前記複数のＬＥＤ素子が少なくとも第一方向に沿って配列されており、前記ヒートシンクは、前記筐体内に取り込まれた前記第一風を実質的に前記第一方向に沿って通流させる構成としても構わない。
【００１４】
前記導風部材は、前記遮蔽部材の一部が、前記第二開口部から前記排気流路の内側に向けて折り曲げられたことで形成されているものとしても構わない。
【００１５】
かかる構成によれば、遮蔽部材の一部を折り曲げることで前記導風部材が実現されるため、導風部材用に別の部材を設ける必要がなく、部品点数が削減されると共に、製造が容易化される。
【００１６】
前記第二開口部は、前記遮蔽部材の対向する２面に設けられていても構わない。
【００１７】
かかる構成によれば、第二開口部から排気される第二風の風量が増加するため、第一開口部から排気される風量が更に抑制される。
【００１８】
前記遮蔽部材は、前記第二風の通流方向に関して、前記第一開口部よりも上流側に屈曲部を有するものとしても構わない。
【００１９】
かかる構成によれば、ヒートシンクを通流後の第二風は、屈曲部の箇所においていったん遮蔽部材に衝突した後、風向が変更されてから、各開口部に向かって排気される。このため、衝突後において遮蔽部材の内側の排気流路内で第二風が一部撹拌されることで、第一開口部の開口面のほぼ全域に第二風を向かわせることができる。この結果、第一開口部から排気される第二風の風量が、特定の箇所においてのみ高まってしまう状態の発現が抑制される。
【発明の効果】
【００２０】
本発明の光照射装置によれば、光源部での冷却効率を維持しながらも、排気風の風量を従来よりも抑制することができる。
【図面の簡単な説明】
【００２１】
【図１】本発明の光照射射置の一実施形態の構成を模式的に示す斜視図である。
【図２】図１の光照射装置のＹＺ平面における模式的な断面図である。
【図３】図１の光照射装置をＺ方向から見たときの模式的な平面図である。
【図４】排気流路をＺ方向から見たときの模式的な平面図である。
【図５】排気流路の模式的な斜視図である。
【図６】排気流路をＸ方向から見たときの模式的な平面図である。
【図７】比較例１の光照射装置のシミュレーション結果を示す図面である。
【図８】参考例１の光照射装置のシミュレーション結果を示す図面である。
【図９】実施例１の光照射装置のシミュレーション結果を示す図面である。
【発明を実施するための形態】
【００２２】
［構造］
本発明に係る光照射装置の実施形態について、適宜図面を参照して説明する。なお、以下の図面は、あくまで模式的に図示されたものであり、図面上の寸法比と実際の寸法比は必ずしも一致しておらず、各図面間においても寸法比は必ずしも一致していない。
【００２３】
図１は、本発明の光照射装置の一実施形態の構成を模式的に示す斜視図である。光照射装置１は、筐体５と、筐体５内に収容された、光Ｌ２を出射する光源部２と、光源部２を冷却するための第一風Ｗ１（後述する図３参照）を筐体５内に流入させるための給気口３と、光源部２を冷却した後の第一風Ｗ１である第二風Ｗ２（図３参照）を筐体５外へ排出させる排気流路１０を備える。
【００２４】
以下では、図１に図示されたＸＹＺ座標系を適宜参照して説明される。
【００２５】
図１では、一例として、筐体５の同一側面側に給気口３と排気流路１０が形成された光照射装置１が示されている。光照射装置１において、給気口３が形成されている筐体５の面と、排気流路１０が形成されている筐体５の面とは、異なっていても構わない。なお、図１に示された給気口３の形状はあくまで一例である。
【００２６】
図２は、図１に示す光照射装置１を、所定の箇所でＹＺ平面で切断したときの模式的な断面図である。図３は、図１に示す光照射装置１を、Ｚ方向から見たときの模式的な平面図である。なお、図２及び図３においては、説明の都合上、一部の要素の図示が省略されている。
【００２７】
以下、図１〜図３を参照して説明する。
【００２８】
本実施形態において、光照射装置１が備える光源部２は、筐体５内のうち、筐体５の一の面５ａ（以下、適宜「第一面５ａ」と呼ぶ。）側に収容されている。本実施形態では、この第一面５ａは、ＸＺ平面に平行な面である。
【００２９】
図３に示すように、光源部２は、少なくともＸ方向に沿って配列された複数のＬＥＤ素子２ａを含む。すなわち、図２を参照すれば、光源部２は、紙面奥行き方向にＬＥＤ素子２ａが複数配置されてなる。ただし、光源部２において、Ｚ方向（図２の紙面左右方向）にも複数のＬＥＤ素子２ａが配置されていても構わない。本明細書におけるＸ方向が「第一方向」に対応する。
【００３０】
筐体５は、第一面５ａ側に光Ｌ２を透過する窓部２１を備える。光照射装置１を、例えばＵＶ印刷装置用の光源として利用する場合には、図２に示すように、Ｚ方向に沿って搬送されるワーク５０に対して、光源部２から出射された光Ｌ２（紫外光）が窓部２１を介して照射されることで、ワーク５０上に塗布されたＵＶ硬化性インク５１が硬化され、ワーク５０の面上に所定の情報が印刷される。
【００３１】
図２及び図３に示すように、本実施形態における光照射装置１は、筐体５内に、ファン２３とヒートシンク２２を備える。ファン２３は、給気口３を介して筐体５の外部から筐体５の内部に、高い風量の第一風Ｗ１を流入させるための送風機構である。ただし、光照射装置１は、光源部２の冷却に十分な風量の第一風Ｗ１を筐体５内に流入させることが可能な環境下で利用される場合などにおいては、必ずしもファン２３を備えなくても構わない。
【００３２】
ヒートシンク２２は、給気口３より筐体５内に取り込まれた第一風Ｗ１を、複数のＬＥＤ素子２ａが配列されている方向、すなわちＸ方向に沿って流しながら、各ＬＥＤ素子２ａを含む光源部２から生じる熱を冷却する機能を奏する。本実施形態の光照射装置１が備えるヒートシンク２２は、Ｘ方向に延伸するフィンをＺ方向に離間して複数枚配置してなる。つまり、図３に示す例では、ヒートシンク２２は、紙面奥行き方向に複数枚のフィンを備える。ただし、各図で図示されたヒートシンク２２の形状はあくまで一例である。
【００３３】
なお、ヒートシンク２２は、実質的に複数のＬＥＤ素子２ａが配列されている平面に沿って第一風Ｗ１を流すことができる構成であればよい。つまり、ヒートシンク２２が複数枚のフィンを備える場合において、各フィンの延伸方向はＸ方向には限定されず、Ｘ方向に対して所定の角度（例えば１５°以下）程度傾斜していても構わない。更には、Ｚ方向に延伸した複数枚のフィンが、Ｘ方向に相互に離間して配置されていても構わない。
【００３４】
第一風Ｗ１は、ヒートシンク２２において光源部２から生じる熱と熱交換され（第二風Ｗ２）、排気流路１０を介して筐体５の外部に排出される。図１に示すように、本実施形態の光照射装置１は、排気流路１０の一部が、筐体５に対してＺ方向に突出して形成されている。
【００３５】
図４は、光照射装置１が備える排気流路１０のみを、Ｚ方向から見たときの模式的な平面図であり、図３内に図示されている排気流路１０の拡大図に対応する。図５は、排気流路１０の模式的な斜視図である。図６は、排気流路１０をＸ方向から見たときの模式的な平面図であり、排気流路１０内における第二風Ｗ２の流れを説明するための図である。なお、図６では、説明の都合上、図５に示す斜視図と比較して排気流路１０の形状が簡易化されており、また、一部の要素の図示が省略されている。
【００３６】
以下、図４〜図６を参照して説明する。
【００３７】
排気流路１０は、第一開口部１１と、第二開口部１２と、遮蔽部材１３と、導風部材１４とを備える。遮蔽部材１３は、通流する第二風Ｗ２を、各開口部（１１，１２）に達する前段階で光照射装置１の外部に排出されるのを防止する筒状の部材であり、実質的に第二風Ｗ２の流路を形成する。遮蔽部材１３は、第一開口部１１及び第二開口部１２の形成箇所に開口面を有している。遮蔽部材１３の内側を通流してきた第二風Ｗ２は、第一開口部１１及び第二開口部１２を通じて、筐体５の外側（光照射装置１の外側）に排出される。
【００３８】
第一開口部１１は、排気流路１０に送られてきた第二風Ｗ２を、ＸＺ平面に向かって排気させるように、開口面が形成されている。ただし、第一開口部１１の開口面は、ＸＺ平面と完全に平行である必要はない。一例として、第一開口部１１の開口面とＸＺ平面との交差角度の絶対値は、３０°以下とすることができる。図２に示すように、光照射装置１に対して−Ｙ方向に係る位置にワーク５０を搬送する場合、一例として、−Ｙ方向が鉛直下向きとされ、＋Ｙ方向が鉛直上向きとされる。この場合、第一開口部１１は、第二風Ｗ２を、実質的に鉛直下向きに排出させるための開口部を構成する。
【００３９】
第二開口部１２は、排気流路１０に送られてきた第二風Ｗ２を、ＸＹ平面に向かって排気させるように、開口面が形成されている。ただし、第二開口部１２の開口面は、ＸＹ平面と完全に平行である必要はない。一例として、第二開口部１２の開口面とＸＹ平面との交差角度の絶対値は、３０°以下とすることができる。上述したように、光照射装置１に対して−Ｙ方向に係る位置（下向き）にワーク５０を搬送する場合、第二開口部１２は、第二風Ｗ２を、実質的に光照射装置１に対して前後方向又は左右方向に排出させるための開口部を構成する。
【００４０】
なお、以下では、図５に示すように、第二開口部１２が排気流路１０の±Ｚ方向に係る端部のそれぞれに形成されているものとして説明する。つまり、第二風Ｗ２は、第一開口部１１と、２箇所に設けられた第二開口部１２とを介して、３方向に向かって筐体５の外部（光照射装置１の外部）に排出される。しかし、第二開口部１２は、排気流路１０の＋Ｚ方向、又は−Ｚ方向のいずれか一方の端部に形成されていても構わない。
【００４１】
図５及び図６に示すように、導風部材１４は、一端が第二開口部１２の端部に連結され、第一開口部１１の開口面から見たときに第二風Ｗ２の流路を狭める向きに傾斜して配置されている。より詳細には、導風部材１４よりも上流側における第二風Ｗ２の流路の幅をＲ１とし、導風部材１４が配置されている箇所における第二風Ｗ２の流路の幅をＲ２とすると、Ｒ２＜Ｒ１となるように、導風部材１４が傾斜している。更に、導風部材１４よりも下流側、すなわち、導風部材１４よりも第一開口部１１に近い位置における第二風Ｗ２の流路の幅をＲ３とすると、Ｒ２＜Ｒ３となるように、導風部材１４が傾斜している。
【００４２】
なお、図５及び図６に示す例では、導風部材１４は、遮蔽部材１３の一部が、第二風Ｗ２の流路側に向かって折り曲げられる（折り込まれる）ことで形成されている。つまり、本実施形態の光照射装置１において、導風部材１４は遮蔽部材１３と同一の材料からなる。しかし、導風部材１４は、遮蔽部材１３と別部材で構成されていても構わない。
【００４３】
上述したように、排気流路１０は、第二風Ｗ２の流路を一時的に狭める機能を示す導風部材１４を備えたことで、排気流路１０内における導風部材１４の下流側の領域（図６内の領域Ａ１、領域Ａ２）が、導風部材１４の上流側の領域と比べて負圧となる。この結果、導風部材１４の下流側の領域（領域Ａ１，領域Ａ２）から第一開口部１１を通じて排出される第二風Ｗ２の風量が抑制される。この結果、第二開口部１２から排出される第二風Ｗ２の風量が増加する。
【００４４】
つまり、上記の構成によれば、排気流路１０から排出される第二風Ｗ２全体の風量は抑制せず、第一開口部１１を介して実質的に−Ｙ方向に排出される第二風Ｗ２の風量を抑制することができる。
【００４５】
ところで、排気流路１０に対して、導風部材１４を設けずに、単に、ＸＺ平面側の面上に第二開口部１２を設けるだけでも、第二開口部１２を通じて第二風Ｗ２が排出できるため、第一開口部１１を通じて排出される第二風Ｗ２の風量を抑制できるようにも考えられる。しかし、本発明者の鋭意研究により、前記の構成では、第二開口部１２を通じて排出される第二風Ｗ２の風量が十分に確保されず、第一開口部１１を通じて実質的に−Ｙ方向に排出される第二風Ｗ２の風量を抑制する効果が十分に得られないことが確認された。この点は、実施例を参照して後述される。
【００４６】
なお、図４に示すように、遮蔽部材１３は、第一開口部１１よりも上流側において、第二風Ｗ２の風向を変化させるための屈曲部１３ａを備えるものとしても構わない。図４の例では、＋Ｘ方向に進行した第二風Ｗ２が、屈曲部１３ａの位置における遮蔽部材１３の内側面に衝突した後、−Ｙ方向又は±Ｚ方向側に相対的に進行方向が変更され、各開口部（１１，１２）に向かう。すなわち、第二風Ｗ２は、屈曲部１３ａの位置における遮蔽部材１３の内側面で衝突したことで、一部が撹拌される。これにより、第二風Ｗ２を、各開口部（１１，１２）の開口面のほぼ全面に向かわせることができる。つまり、第一開口部１１の一部の箇所に第二風Ｗ２が集中化することが抑制され、これにより、実質的に−Ｙ方向に向かって排出される第二風Ｗ２の風量を更に抑制することができる。
【００４７】
ただし、本発明の光照射装置１において、遮蔽部材１３が屈曲部１３ａを備えるか否かは任意である。
【００４８】
［実施例］
光照射装置１の作用に付き、実施例及び比較例を参照して説明する。光照射装置１の機能を確認するために、一部の条件のみを異ならせてシミュレーションを行った。
【００４９】
上述した光照射装置１の構成（第二開口部１２を２箇所に設けた構成）を模擬したものを実施例１とした。実施例１の寸法を以下の通りとした。
・筐体５（排気流路１０を除く）の寸法：Ｘ方向×Ｙ方向×Ｚ方向＝２５０ｍｍ×３００ｍｍ×７０ｍｍ
・排気流路１０の寸法：Ｘ方向×Ｙ方向×Ｚ方向＝７０ｍｍ×４０ｍｍ×７０ｍｍ
・第一開口部１１の開口面の面積：２５ｃｍ2
・各第二開口部１２の開口面の面積：６ｃｍ2
・導風部材１４のＸ方向に対する傾斜角度：４５°
【００５０】
実施例１に対して、第二開口部１２及び導風部材１４を備えない構成を比較例１とした。また、実施例１に対して、導風部材１４を備えない構成（第二開口部１２は備える）を参考例１とした。
【００５１】
比較例１、参考例１、及び実施例１の各光照射装置の筐体５に対して、同一条件で第一風Ｗ１を取り込んだ場合の、光照射装置の面５ａから下方位置５０ｍｍにおけるＸＺ平面上の第二風Ｗ２の風速分布をシミュレーションにより算出した。
【００５２】
シミュレーション結果を、図７〜図９に示す。図７は比較例１の結果に対応し、図８は参考例１の結果に対応し、図９は実施例１の結果に対応する。
【００５３】
図７と図８を比較すると、ＸＺ平面上の第二風Ｗ２の風速に大きな差が生じていないことが分かる。例えば、第一開口部１１からＸ方向に６０ｍｍ離れた位置において、両者ともに毎秒３．１１ｍ以上の風速が確認された。これに対し、図９の結果によれば、図７及び図８の結果と比べて、ＸＺ平面上の第二風Ｗ２の風速が大きく低下できていることが確認される。例えば、第一開口部１１からＸ方向に６０ｍｍ離れた位置における第二風Ｗ２の風速は毎秒２．２２ｍに減少している。
【００５４】
この結果から、単に第二開口部１２を設けただけでは、第一開口部１１を通じて排出される第二風Ｗ２の風量を抑制する効果が得られず、流路を狭める向きに配置された導風部材１４を備えて、導風部材１４の下流側の流路（図６内の領域Ａ１，領域Ａ２）を負圧にすることで、初めて第一開口部１１を通じて排出される第二風Ｗ２の風量を抑制する効果が得られることが分かる。
【００５５】
［別実施形態］
以下、別実施形態について説明する。
【００５６】
〈１〉本発明の光照射装置１において、排気流路１０が備える導風部材１４の枚数には限定されない。また、上記の実施形態では、導風部材１４の一端が第二開口部１２の端部に連結されてなるものとして説明したが、導風部材１４の下流側の領域を負圧にする機能を有している限りにおいて、導風部材１４の形状は任意である。
【００５７】
〈２〉光照射装置１は、筐体５の異なる面上に、２以上の排気流路１０を備えるものとしても構わない。
【００５８】
〈３〉本発明は上記した実施形態に限定されるものではなく、様々な変形例が含まれる。例えば、上記した実施形態は本発明のより良い理解のために詳細に説明したものであり、必ずしも説明の全ての構成を備えるものに限定されるものではない。本発明の範囲は特許請求の範囲によって示され、特許請求の範囲と均等の意味及び範囲内での全ての変更が含まれることが意図される。
【符号の説明】
【００５９】
１      ：    光照射装置
２      ：    光源部
２ａ    ：    光源部が備えるＬＥＤ素子
３      ：    給気口
５      ：    筐体
５ａ    ：    筐体の一側面（第一面）
１０      ：    排気流路
１１      ：    第一開口部
１２      ：    第二開口部
１３      ：    遮蔽部材
１４      ：    導風部材
２１      ：    窓部
２２      ：    ヒートシンク
２３      ：    ファン
５０      ：    ワーク
５１      ：    ＵＶ硬化性インク
Ｌ２      ：    光源部から出射される光
Ｗ１      ：    第一風
Ｗ２      ：    第二風
【図１】
2020004661.tif 000003
【図２】
2020004661.tif 000004
【図３】
2020004661.tif 000005
【図４】
2020004661.tif 000006
【図５】
2020004661.tif 000007
【図６】
2020004661.tif 000008
【図７】
2020004661.tif 000009
【図８】
2020004661.tif 000010
【図９】
2020004661.tif 000011